(57)【要約】【課題】ネットワークリソースとパケット処理ノードのリソースとを考慮して最適経路を解決できる通信システム、通信方法および制御装置を提供する。【解決手段】経路制御機能を有する複数のネットワークノード（Ｎ１〜Ｎ５）と、到着パケットの処理を行う少なくとも一つの処理ノード（２０ａ、２０ｂ）と、ネットワークノードから収集されたネットワーク負荷情報と処理ノードから収集された処理負荷情報とを用いて処理ノードまでの最適経路を計算し、各ネットワークノードに経路設定を行う上位制御装置（３０）と、を有する。【選択図】図２
2015151442.tif 000002
【特許請求の範囲】
【請求項１】
ネットワークの経路制御を実行する通信システムであって、
経路制御機能を有する複数のネットワークノードと、
到着パケットの処理を行う少なくとも一つの処理ノードと、
前記ネットワークノードから収集されたネットワーク負荷情報と前記処理ノードから収集された処理負荷情報とを用いて、前記処理ノードまでの最適経路を計算し、各ネットワークノードに経路設定を行う上位制御装置と、
を有することを特徴とする通信システム。
【請求項２】
前記ネットワークノードがネットワーク負荷情報を測定して保持し、前記処理ノードが処理負荷情報を測定して保持し、前記上位制御装置がそれぞれ保持されたネットワーク負荷情報および処理負荷情報を収集することを特徴とする請求項１記載の通信システム。
【請求項３】
前記ネットワークノードがデータ転送を行うスイッチであり、前記上位制御装置が前記スイッチを経路制御するコントローラであることを特徴とする請求項１または２記載の通信システム。
【請求項４】
ネットワークの経路制御を実行する制御装置であって、
経路制御機能を有する複数のネットワークノードから収集されたネットワーク負荷情報と、到着パケットの処理を行う少なくとも一つの処理ノードから収集された処理負荷情報とを格納する格納手段と、
前記ネットワーク負荷情報と前記処理負荷情報とを用いて、前記処理ノードまでの最適経路を計算し、各ネットワークノードに経路設定を行う制御手段と、
を有することを特徴とする制御装置。
【請求項５】
前記ネットワークノードがネットワーク負荷情報を測定して保持し、前記処理ノードが処理負荷情報を測定して保持し、それぞれ保持されたネットワーク負荷情報および処理負荷情報を収集して前記格納手段に格納することを特徴とする請求項４記載の制御装置。
【請求項６】
前記ネットワークノードがデータ転送を行うスイッチであり、前記制御手段が前記スイッチを経路制御するコントローラであることを特徴とする請求項４または５記載の制御装置。
【請求項７】
ネットワークの経路制御を実行する通信方法であって、
前記ネットワークが、経路制御機能を有する複数のネットワークノードと、到着パケットの処理を行う少なくとも一つの処理ノードと、を含み、
経路計算手段が前記ネットワークノードから収集されたネットワーク負荷情報と前記処理ノードから収集された処理負荷情報とを用いて前記処理ノードまでの最適経路を計算し、
経路設定手段が前記最適経路に従って各ネットワークノードに経路設定を行う、
ことを特徴とする通信方法。
【請求項８】
前記ネットワークノードがネットワーク負荷情報を測定して保持し、前記処理ノードが処理負荷情報を測定して保持し、前記上位制御装置がそれぞれ保持されたネットワーク負荷情報および処理負荷情報を収集することを特徴とする請求項７記載の通信方法。
【請求項９】
前記ネットワークノードがスイッチによりデータ転送を行い、前記上位制御装置が前記スイッチを経路制御することを特徴とする請求項７または８記載の通信方法。
【請求項１０】
ネットワークの経路制御を実行する制御装置としてコンピュータを機能させるプログラムであって、
経路制御機能を有する複数のネットワークノードから収集されたネットワーク負荷情報と、到着パケットの処理を行う少なくとも一つの処理ノードから収集された処理負荷情報とを格納手段に格納する機能と、
前記ネットワーク負荷情報と前記処理負荷情報とを用いて、前記処理ノードまでの最適経路を計算し、各ネットワークノードに経路設定を行う制御機能と、
を前記コンピュータに実現させることを特徴とするプログラム。
【発明の詳細な説明】
【技術分野】
【０００１】
本発明は、２０１４年３月３１日に出願された日本国特許出願：特願２０１４−０７１２６８号の優先権主張に基づくものであり、同出願の全記載内容は引用を持って本書に組み込まれているものとする。
本発明は通信ネットワークにおける経路制御技術に関する。
【背景技術】
【０００２】
ネットワークにおける経路制御（ルーティング）では、各ノードがルーティングテーブルを参照することで宛先ノードに到達する最も良い経路を選択する方法が一般的であるが、近年、フロー単位で経路制御を実現するオープンフロー(OpenFlow)技術も注目されている（非特許文献１）。オープンフロー技術の基本的アイデアはデータプレーンと制御プレーンとを分離し、それらを独立に展開可能にしたことにある。この分離構成によりスイッチは閉じたシステムからプログラム可能なオープンプラットフォームとなる。【０００３】
より詳しくは、オープンフローは、物理ポート番号（Ｌ１）、ＭＡＣ（Media Access Control）アドレス（Ｌ２）、ＩＰアドレス（Ｌ３）、ポート番号（Ｌ４）などの識別子の組み合わせによって決定される一連の通信を「フロー」として定義し、フロー単位での経路制御を実現する。転送ノードとして機能するオープンフロースイッチ（ＯＦＳ）はフローテーブルに従って動作し、フローテーブルはオープンフローコントローラ（ＯＦＣ）からの指示により追加され、あるいは書き換られる。フローテーブルには、フロー毎に、ルールと、統計情報と、ルールにマッチしたパケットに対して適用する処理を規定したアクションとが含まれる。
【先行技術文献】
【非特許文献】
【０００４】
【非特許文献１】OpenFlow Specification Version 1.3.2 (Wire Protocol 0x04) April 25, 2013  <URL https://www.opennetworking.org/images/stories/downloads/sdn-resources/onf-specifications/openflow/openflow-spec-v1.3.2.pdf>
【発明の概要】
【発明が解決しようとする課題】
【０００５】
しかしながら、上述した経路制御方法では、経路制御されたパケットを処理するサーバの負荷状況が考慮されていない。そのために、たとえばサーバまでの経路は高負荷でサーバが低負荷である場合、逆にサーバまでの経路が低負荷でサーバが高負荷の場合などの状況に適切に対応したルーティングを行うことができない。言い換えれば、経路のネットワークリソースとサーバの処理リソースとを俯瞰して最適経路を解決することができない。【０００６】
そこで、本発明の目的は、ネットワークリソースとパケット処理ノードのリソースとを考慮して最適経路を解決できる通信システム、通信方法および制御装置を提供することにある。
【課題を解決するための手段】
【０００７】
本発明の通信システムは、ネットワークの経路制御を実行する通信システムであって、経路制御機能を有する複数のネットワークノードと、到着パケットの処理を行う少なくとも一つの処理ノードと、前記ネットワークノードから収集されたネットワーク負荷情報と前記処理ノードから収集された処理負荷情報とを用いて、前記処理ノードまでの最適経路を計算し、各ネットワークノードに経路設定を行う上位制御装置と、を有することを特徴とする。
本発明の制御装置は、ネットワークの経路制御を実行する制御装置であって、経路制御機能を有する複数のネットワークノードから収集されたネットワーク負荷情報と、到着パケットの処理を行う少なくとも一つの処理ノードから収集された処理負荷情報とを格納する格納手段と、前記ネットワーク負荷情報と前記処理負荷情報とを用いて、前記処理ノードまでの最適経路を計算し、各ネットワークノードに経路設定を行う制御手段と、を有することを特徴とする。
本発明による通信方法は、ネットワークの経路制御を実行する通信方法であって、前記ネットワークが、経路制御機能を有する複数のネットワークノードと、到着パケットの処理を行う少なくとも一つの処理ノードと、を含み、経路計算手段が前記ネットワークノードから収集されたネットワーク負荷情報と前記処理ノードから収集された処理負荷情報とを用いて前記処理ノードまでの最適経路を計算し、経路設定手段が前記最適経路に従って各ネットワークノードに経路設定を行う、ことを特徴とする。
【発明の効果】
【０００８】
本発明によれば、ネットワークリソースとパケット処理ノードのリソースとを考慮して最適経路を設定することができる。
【図面の簡単な説明】
【０００９】
【図１】図１は本発明の一実施形態による通信システムの一例を示す模式図である。
【図２】図２は本実施形態によるネットワークノードおよび上位制御装置のより詳細な構成を示すブロック図である。
【図３】図３は本実施形態によるシステムの全体的な動作を示すフローチャートである。
【図４】図４は本発明の一実施例による通信システムを適用したネットワークの一例をしめす模式図である。
【図５】図５は本実施例によるシステムの全体的な動作を示すシーケンス図である。
【発明を実施するための形態】
【００１０】
＜実施形態の概要＞
本発明の実施形態によれば、経路制御を行うための経路負荷情報と、経路制御によって到達するパケットを処理する処理ノードの処理負荷情報とを取得することで、パケットの送信元から処理ノードまでの経路上のネットワークのリソースと、当該処理ノードの処理リソースと、を統合的に考慮した経路制御が可能となり、リソースの利用効率を最大化することができる。以下、本発明の実施形態および実施例について図面を参照しながら説明する。
【００１１】
１．一実施形態
１．１）通信システム
図１に示すように、ネットワーク１０が複数の経路制御ノードＮ１〜Ｎ５および複数のパケット処理ノード２０ａおよび２０ｂからなり、ネットワーク１０の各ノードが上位制御装置３０に接続されている構成を一例として取り上げる。ただし、図１に示すネットワーク構成は、本発明の一実施形態による通信システムを説明する際の煩雑化を回避するための一例である。
【００１２】
図１において、上位制御装置３０は、経路制御ノードＮ１〜Ｎ５の各々から経路負荷情報を収集し、さらにパケット処理ノード２０ａおよび２０ｂからパケット処理負荷情報を収集する。上位制御装置３０は経路負荷情報およびパケット処理負荷情報を用いてパケット処理ノード２０ａあるいは２０ｂへ到達するパケットの最適経路を計算し、経路制御ノードＮ１〜Ｎ５の各々に対して当該最適経路設定を行う。したがって、経路負荷だけでなく処理負荷をも考慮してパケットの経路制御を行うことができる。より詳細な装置構成を図２に示す。
【００１３】
図２において、各経路制御ノードＮ（Ｎ１〜Ｎ５）はネットワーク１０の各分岐点に設けられ、経路制御機能を有するノードであり、ネットワーク１０の他のノードおよび上位制御装置３０と通信するための通信部１０１、経路制御部１０２、経路負荷測定部１０３および経路負荷格納部１０４を有する。各経路制御ノードＮの通信部１０１は上位制御装置３０と、たとえば常時セッションを確立しており、経路およびネットワーク負荷に関する経路負荷情報の送信および経路設定情報の受信を行う。経路制御部１０２は、上位制御装置３０からの経路設定情報に従って経路制御を実行する。経路負荷測定部１０３は、ネットワークの帯域利用率、ネットワークで生じているパケット遅延あるいは損失などのネットワーク負荷を測定し、経路負荷格納部１０４に格納する。
【００１４】
パケット処理ノード２０ａ、２０ｂは、自ノードを宛先として到着したパケットを処理する処理装置であり、たとえば到着パケットに対して何らかのサービスを返すサーバである。パケット処理ノード２０ａ、２０ｂは、ネットワーク１０の他のノードおよび上位制御装置３０と通信するための通信部２０１、パケット処理部２０２、ノード負荷測定部２０３およびノード格納部２０４を有する。ノード負荷測定部２０３は、自ノードのＣＰＵ利用率、ネットワークインターフェースの利用率などのノード負荷を測定し、ノード負荷格納部２０３に格納する。なお、パケット処理ノード２０ａ、２０ｂは、必ずしも物理的な装置である必要はなく、仮想マシン（ＶＭ）で構成されたサーバであってもよい。
【００１５】
上位制御装置３０はネットワーク１０の各経路制御ノードＮの経路設定をする上位装置であり、ネットワーク１０の経路制御ノードＮおよびパケット処理ノード２０ａおよび２０ｂと通信するための通信部３０１、制御部３０２、経路計算部３０３および負荷情報格納部３０４を有する。負荷情報格納部３０４は、経路制御ノードＮ１〜Ｎ５の各々から収集した経路負荷情報とパケット処理ノード２０ａおよび２０ｂから収集したパケット処理負荷情報とを格納し、この負荷情報を用いて経路計算部３０３はパケット処理ノード２０ａあるいは２０ｂへ到達するパケットの最適経路を計算する。続いて、制御部３０２は、最適経路の経路設定情報を各経路制御ノードＮへ通知する。
【００１６】
なお、上述した経路制御ノードＮ、パケット処理ノード２０ａ、２０ｂおよび上位制御装置３０は、それぞれのプログラムを記憶する記憶装置とコンピュータ（ＣＰＵ）とを有し、プログラムをコンピュータ上で実行することにより上述した機能を実現することもできる。
【００１７】
１．２）動作
図３において、各経路制御ノードＮの経路負荷測定部１０３は上記ネットワーク負荷を測定して経路負荷格納部１０４に格納し、パケット処理ノード２０ａおよび２０ｂのノード負荷測定部２０３はノード負荷を測定してノード負荷格納部２０４に格納する（動作Ｓ４０１）。なお、各経路制御ノードＮによるネットワーク負荷情報およびパケット処理ノード２０ａおよび２０ｂによるノード負荷情報は、定期的に収集され格納されてもよいし、上位制御装置３０からの指示に従って収集され格納されてもよい。
【００１８】
続いて、各経路制御ノードＮは、経路負荷格納部１０４に格納された経路負荷情報を上位制御装置３０へ送信し、パケット処理ノード２０ａおよび２０ｂはノード負荷格納部２０４に格納されたノード負荷情報を上位制御装置３０へ送信する（動作Ｓ４０２）。なお、上位制御装置３０による負荷情報の収集は、接続要求パケットの発生を契機にしてもよいし、定期的に各ノードへ要求して収集してもよい。
【００１９】
上位制御装置３０は、各経路制御ノードおよびパケット処理ノードからそれぞれ受信した経路負荷情報およびノード負荷情報を用いて、パケット処理ノードまでの最適経路を計算し、最適経路に従って各経路制御ノードへ経路設定情報を送信する（動作Ｓ４０３）。経路設定情報を受信した各経路制御ノードは、経路設定情報に従って経路制御を行う（動作Ｓ４０４）。
【００２０】
次に、図１に示すネットワーク１０を一例として、本実施形態の全体的な動作について説明する。ここでは、パケット処理ノード２０ａとパケット処理ノード２０ｂが同じサービスを提供するサーバであり、パケット処理ノード２０ａの処理負荷が高い状態、パケット処理ノード２０ｂの処理負荷が低い状態にあるものとする。この状況で当該サービスを提供するパケット処理ノードを宛先とする接続要求パケットが経路制御ノードＮ１に到着したものとする。上位制御装置３０は、経路制御ノードＮ１から接続要求パケットの到着を知ると、上述したようにネットワーク１０から収集された経路負荷情報およびノード負荷情報に基づいて、経路制御ノードＮ１から処理負荷の低いパケット処理ノード２０ｂまでの最適経路を計算し、各経路制御ノードに対して経路設定を行う。
【００２１】
１．３）効果
上述したように、本実施形態によれば、パケットの送信元から処理負荷に余裕のあるパケット処理ノードまでの経路を最適化することができ、ネットワークのリソースと当該パケット処理ノードの処理リソースとを統合的に考慮した経路制御が可能となる。
【００２２】
２．一実施例
以下、本発明の一実施例として、オープンフロー技術を用いたネットワークにおける通信システムについて説明する。
【００２３】
２．１）ネットワーク構成
図４において、オープンフローコントローラ５０１はオープンフロースイッチＯＦＳ１〜ＯＦＳ８を制御し、さらに本実施例による経路制御機能を有するものとする。ただし、ここでは，一例として、オープンフロースイッチＯＦＳ１〜ＯＦＳ７の経路負荷情報とアクセスゲートウェイＡ１およびＡ２の負荷情報とがオープンフローコントローラ５０１によって収集されるものとする。なお、各ＯＦＳおよびアクセスゲートウェイとオープンフローコントローラ５０１との間の情報通信にはオープンフローのセキュアチャネルを用いることができ、またＳＮＭＰ(Simple Network Management Protocol)、ＬＬＤＰ(Link Layer Discovery Protocol)等のプロトコルを用いることもできる。
【００２４】
なお、ＯＦＳは、通常レイヤ２スイッチあるいはＯＦＳとして動作することができる。すなわち、ＯＦＳは自身の仕組みの中で通常レイヤ２スイッチを実現することができる。また、通常レイヤ２スイッチとして動作する場合はネットワークに配置されてＬ２アドレスを用いて受信したフレームのスイッチングを行い、ＯＦＳとして動作する場合は事前にＯＦＣから経路制御情報を取得し、これに基づいて動作する。
【００２５】
また、図４に示すネットワークでは、端末Ａ、Ｂとインターネット５０３との間が冗長系を構成しており、オープンフロースイッチＯＦＳ１とＯＦＳ７との間にＯＦＳ２およびＯＦＳ３を通る経路とＯＦＳ４およびＯＦＳ５を通る経路とがあり、オープンフロースイッチＯＦＳ３とＯＦＳ８との間にＯＦＳ６、アクセスゲートウェイＡ１およびパケットゲートウェイＰ１を通る経路と、ＯＦＳ７、アクセスゲートウェイＡ２およびパケットゲートウェイＰ２を通る経路とがある。ここでは、ＯＦＳ２とアクセスゲートウェインＡ１とを通る経路を経路１とし、この経路１を通して端末Ａがルータ５０２およびインターネット５０３に接続しているものとする。また、アクセスゲートウェイＡ１の処理負荷が高く、アクセスゲートウェイＡ２の処理負荷が低いものとする。この状態で端末Ｂが接続要求を行った場合の動作について図５を参照しながら説明する。
【００２６】
２．２）動作
図５に示すように、端末Ｂが基地局ＢＳ２に対してアタッチサービス要求を送信すると（動作Ｓ６０１）、基地局ＢＳ２はアタッチサービス要求をＯＦＳ１へ転送する（動作Ｓ６０２）。ＯＦＳ１に新たな要求が到着したことで、ＯＦＣ５０１は上述したように各ＯＦＳからネットワーク負荷を収集し、アクセスゲートウェイ、移動管理ノード（ＭＭＥ）等のパケット処理ノードから処理負荷を収集する（動作Ｓ６０３）。収集された負荷情報を用いて、ＯＦＣ５０１はＯＦＳ１からＭＭＥまでの最適経路を計算する（動作Ｓ６０４）。ここでは、ネットワーク負荷とアクセスゲートウェイの処理負荷とを考慮して、図４に示すように、全体のリソース効率が最大となるように経路２が最適経路として算出されたものとする。
【００２７】
ＯＦＣ５０１は、経路２を設定するようにＯＦＳ１、ＯＦＳ４、ＯＦＳ５およびＯＦＳ７に対して経路設定を行い（動作Ｓ６０５）、これによってＯＦＳ１はアタッチサービス要求を経路２を通してＭＭＥへ転送する（動作Ｓ６０６）。こうして、端末Ｂとインターネット５０３との間が通信可能状態となる（Ｓ６０７）。
【００２８】
２．３）効果
以上述べたように、本発明の実施例によれば、オープンフロースイッチＯＦＳを経路制御ノードとし、アクセスゲートウェイをパケット処理ノードあるいはサーバとし、オープンフローコントローラ５０１を上位制御装置３０とすることで、ＯＦＳの負荷状況とアクセスゲートウェイの処理負荷状況との両方を考慮した負荷分散を行うことができる。これにより負荷の低い経路およびサーバを優先的に割り当てることができ、個々のパケットの経路遅延および処理遅延を低減することが可能となる。
【産業上の利用可能性】
【００２９】
本発明は、オープンフロー(OpenFlow)で構築されたネットワークの経路制御に適用することができる。
【符号の説明】
【００３０】
１０  ネットワーク
２０  パケット処理ノード
３０  上位制御装置
Ｎ１〜Ｎ５  経路制御ノード
【図１】
2015151442.tif 000003
【図２】
2015151442.tif 000004
【図３】
2015151442.tif 000005
【図４】
2015151442.tif 000006
【図５】
2015151442.tif 000007
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
ネットワークの経路制御を実行する通信システムであって、
経路制御機能を有する複数のネットワークノードと、
到着パケットの処理を行う少なくとも一つの処理ノードと、
前記ネットワークノードから収集されたネットワーク負荷情報と前記処理ノードから収集された処理負荷情報とを用いて、前記処理ノードまでの最適経路を計算し、各ネットワークノードに経路設定を行う上位制御装置と、
を有することを特徴とする通信システム。
【請求項２】
前記ネットワークノードがネットワーク負荷情報を測定して保持し、前記処理ノードが処理負荷情報を測定して保持し、前記上位制御装置がそれぞれ保持されたネットワーク負荷情報および処理負荷情報を収集することを特徴とする請求項１記載の通信システム。
【請求項３】
前記ネットワークノードがデータ転送を行うスイッチであり、前記上位制御装置が前記スイッチを経路制御するコントローラであることを特徴とする請求項１または２記載の通信システム。
【請求項４】
ネットワークの経路制御を実行する制御装置であって、
経路制御機能を有する複数のネットワークノードから収集されたネットワーク負荷情報と、到着パケットの処理を行う少なくとも一つの処理ノードから収集された処理負荷情報とを格納する格納手段と、
前記ネットワーク負荷情報と前記処理負荷情報とを用いて、前記処理ノードまでの最適経路を計算し、各ネットワークノードに経路設定を行う制御手段と、
を有することを特徴とする制御装置。
【請求項５】
前記ネットワークノードがネットワーク負荷情報を測定して保持し、前記処理ノードが処理負荷情報を測定して保持し、それぞれ保持されたネットワーク負荷情報および処理負荷情報を収集して前記格納手段に格納することを特徴とする請求項４記載の制御装置。
【請求項６】
前記ネットワークノードがデータ転送を行うスイッチであり、前記制御手段が前記スイッチを経路制御するコントローラであることを特徴とする請求項４または５記載の制御装置。
【請求項７】
ネットワークの経路制御を実行する通信方法であって、
前記ネットワークが、経路制御機能を有する複数のネットワークノードと、到着パケットの処理を行う少なくとも一つの処理ノードと、を含み、
経路計算手段が前記ネットワークノードから収集されたネットワーク負荷情報と前記処理ノードから収集された処理負荷情報とを用いて前記処理ノードまでの最適経路を計算し、
経路設定手段が前記最適経路に従って各ネットワークノードに経路設定を行う、
ことを特徴とする通信方法。
【請求項８】
前記ネットワークノードがネットワーク負荷情報を測定して保持し、前記処理ノードが処理負荷情報を測定して保持し、前記上位制御装置がそれぞれ保持されたネットワーク負荷情報および処理負荷情報を収集することを特徴とする請求項７記載の通信方法。
【請求項９】
前記ネットワークノードがスイッチによりデータ転送を行い、前記上位制御装置が前記スイッチを経路制御することを特徴とする請求項７または８記載の通信方法。
【請求項１０】
ネットワークの経路制御を実行する制御装置としてコンピュータを機能させるプログラムであって、
経路制御機能を有する複数のネットワークノードから収集されたネットワーク負荷情報と、到着パケットの処理を行う少なくとも一つの処理ノードから収集された処理負荷情報とを格納手段に格納する機能と、
前記ネットワーク負荷情報と前記処理負荷情報とを用いて、前記処理ノードまでの最適経路を計算し、各ネットワークノードに経路設定を行う制御機能と、
を前記コンピュータに実現させることを特徴とするプログラム。
【請求項１１】
通信システムであって、
端末から送信されたパケットを受信可能な複数のネットワークノードと、
前記パケットの処理を行う少なくとも一つのアクセスゲートウェイと、
前記ネットワークノードから収集されたネットワーク負荷情報と、前記アクセスゲートウェイから収集された処理負荷情報とを用いて、前記パケットの転送経路を計算し、前記ネットワークノードに経路設定を行う制御装置と、
を有することを特徴とする通信システム。
【請求項１２】
前記アクセスゲートウェイを管理する移動管理ノードをさらに備え、
前記制御装置は、前記移動管理ノードから、前記アクセスゲートウェイの処理負荷情報を収集可能である
ことを特徴とする請求項１１の通信システム。
【請求項１３】
前記ネットワークノードは、前記端末が基地局を介して送信したアタッチサービス要求を受信したことに応じて、前記アタッチサービス要求の転送経路の設定を前記制御装置に要求し、
前記制御装置は、前記要求を受けたことに応じて、前記アタッチサービス要求の転送経路を計算し、前記ネットワークノードに経路設定を行う
ことを特徴とする請求項１１又は１２の通信システム。
【請求項１４】
端末から送信されたパケットを受信可能な複数のネットワークノードから収集されたネットワーク負荷情報と、前記パケットの処理を行う少なくとも一つのアクセスゲートウェイから収集された処理負荷情報とを格納する格納手段と、
前記ネットワーク負荷情報と前記処理負荷情報とを用いて、前記パケットの転送経路を計算し、前記ネットワークノードに経路設定を行う制御手段と、
を有することを特徴とする制御装置。
【請求項１５】
前記格納手段は、前記アクセスゲートウェイを管理する移動管理ノードから収集した前記アクセスゲートウェイの処理負荷情報を格納可能である
ことを特徴とする請求項１４の制御装置。
【請求項１６】
前記制御手段は、前記端末が基地局を介して送信したアタッチサービス要求の転送経路の設定を前記ネットワークノードから要求されたことに応じて、前記アタッチサービス要求の転送経路を計算し、前記ネットワークノードに経路設定を行う
ことを特徴とする請求項１４又は１５の通信システム。
【国際調査報告】
2015151442.tif 000008
2015151442.tif 000009
2015151442.tif 000010
2015151442.tif 000011